(57)【要約】【課題】ハンドオーバに伴う通信の瞬断時間の低減に寄与する無線通信システム、基地局、ネットワーク管理装置、ハンドオーバ制御方法及びプログラムを提供する。【解決手段】基地局は、移動局のハンドオーバに伴うセルペア毎の無線リンク指標を集計し、該集計した無線リンク指標の統計情報をネットワーク管理装置へ予め設定された所定の周期毎に送信する。ネットワーク管理装置は、基地局から通知された無線リンク指標の統計情報に基づき無線品質が予め設定された所定の期間内に所定値よりも低下するセルペアを検出する。【選択図】図３
2015104000.tif 000002
【特許請求の範囲】
【請求項１】
自局が管理するセルを介して移動局と無線通信を行う複数の基地局と、
前記複数の基地局を管理するネットワーク管理装置と、
を有し、
前記基地局は、
前記移動局のハンドオーバに伴う、前記移動局が接続中のセルと該セルと隣接する隣接セルから成るセルペア毎の無線リンク指標を集計し、該集計した無線リンク指標の統計情報を前記ネットワーク管理装置へ予め設定された所定の周期毎に送信する品質情報管理部を備え、
前記ネットワーク管理装置は、
前記基地局から通知された無線リンク指標の統計情報に基づき前記無線品質が予め設定された所定の期間内に所定値よりも低下するセルペアを検出するセルペア検出部を備える無線通信システム。
【請求項２】
前記無線リンク指標は、ハンドオーバの失敗を示す情報、前記移動局で送受信されるパケットのスループットまたは前記パケットの遅延時間である請求項１記載の無線通信システム。
【請求項３】
前記セルペア検出部は、
前記無線リンク指標の統計情報の時間経過に伴う変化量が予め設定された所定値以下となるセルペアを、前記無線品質が予め設定された所定の期間内に所定値よりも低下するセルペアとして検出する請求項１または２記載の無線通信システム。
【請求項４】
前記セルペアが３以上であるとき、
前記セルペア検出部は、
前記セルの設置環境の組み合わせが同一の複数のセルペアの前記無線リンク指標から該セルペアにおける該無線リンク指標の統計情報の基準値を計算し、前記設置環境の組み合わせが同一のセルペアのうち、該基準値との差が予め設定された閾値以上のセルペアを、前記無線品質が急激に劣化するセルペアとして検出する請求項１または２記載の無線通信システム。
【請求項５】
前記ネットワーク管理装置は、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部を備え、
前記基地局は、
前記ネットワーク管理装置の指示にしたがって前記送信電力、前記アンテナのチルト角または前記判定タイマの少なくとも１つを変更する無線パラメータ制御部を備える請求項１から４のいずれか１項記載の無線通信システム。
【請求項６】
前記基地局は、
自局が管理するセルと接続中の移動局を特定するための移動局情報を、該移動局のハンドオーバによる接続の切り替え先のセルを管理するターゲット基地局へ所定のタイミングで送信する移動局情報管理部を備える請求項１から５のいずれか１項記載の無線通信システム。
【請求項７】
前記所定のタイミングは、
前記ネットワーク管理装置から前記無線品質が予め設定された所定の期間内に所定値よりも低下するセルペアとして通知されたときである請求項６記載の無線通信システム。
【請求項８】
前記所定のタイミングは、
前記ネットワーク管理装置から前記無線品質が予め設定された所定の期間内に所定値よりも低下するセルペアとして通知され、その後、自局に新たな移動局の接続が開始されたときである請求項６記載の無線通信システム。
【請求項９】
前記セルペアは、
一方が屋外に設置された前記基地局が管理する屋外セルであり、他方が屋内に設置された前記基地局が管理する屋内セルである請求項１から８のいずれか１項記載の無線通信システム。
【請求項１０】
前記セルペアは、
互いにセルサイズが異なるセルから成る請求項１から９のいずれか１項記載の無線通信システム。
【請求項１１】
自局が管理するセルを介して移動局と無線通信を行う、無線通信システムが備える基地局であって、
前記移動局のハンドオーバに伴う、前記移動局が接続中のセルと該セルと隣接する隣接セルから成るセルペア毎の無線リンク指標を集計し、該集計した無線リンク指標の統計情報を、自局を管理する上位装置へ予め設定された所定の周期毎に送信する品質情報管理部と、
前記上位装置の指示にしたがって送信電力、アンテナのチルト角または前記移動局との無線リンクで障害が発生したか否かの判定に用いる判定タイマの少なくとも１つを変更する無線パラメータ制御部と、
を有する基地局。
【請求項１２】
自局が管理するセルを介して移動局と無線通信を行う、無線通信システムが備える基地局であって、
前記移動局のハンドオーバに伴うセルペア毎の無線リンク指標を集計し、該集計した無線リンク指標の統計情報を、自局を管理する上位装置へ予め設定された所定の周期毎に送信する品質情報管理部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有する基地局。
【請求項１３】
前記無線リンク指標は、ハンドオーバの失敗を示す情報、前記移動局で送受信されるパケットのスループットまたは前記パケットの遅延時間である請求項１１または１２記載の基地局。
【請求項１４】
前記所定のタイミングは、
前記上位装置から前記無線品質が予め設定された所定の期間内に所定値よりも低下するセルペアとして通知されたときである請求項１２または１３記載の基地局。
【請求項１５】
前記所定のタイミングは、
前記上位装置から前記無線品質が予め設定された所定の期間内に所定値よりも低下するセルペアとして通知され、その後、自局に新たな移動局の接続が開始されたときである請求項１２または１３記載の基地局。
【請求項１６】
セルを介して移動局と無線通信を行う複数の基地局を管理するネットワーク管理装置であって、
前記基地局から、前記移動局のハンドオーバに伴う、前記移動局が接続中のセルと該セルと隣接する隣接セルから成るセルペア毎の無線リンク指標を集計した統計情報を予め設定された所定の周期毎に受信し、該無線リンク指標に基づき前記無線品質が予め設定された所定の期間内に所定値よりも低下するセルペアを検出するセルペア検出部を備えるネットワーク管理装置。
【請求項１７】
前記無線リンク指標は、ハンドオーバの失敗を示す情報、前記移動局で送受信されるパケットのスループットまたは前記パケットの遅延時間である請求項１６記載のネットワーク管理装置。
【請求項１８】
前記セルペア検出部は、
前記無線リンク指標の統計情報の時間経過に伴う変化量が予め設定された所定値以下となるセルペアを、前記無線品質が予め設定された所定の期間内に所定値よりも低下するセルペアとして検出する請求項１６または１７記載のネットワーク管理装置。
【請求項１９】
前記セルペアが３以上であるとき、
前記セルペア検出部は、
前記セルの設置環境の組み合わせが同一の複数のセルペアの前記無線リンク指標から該セルペアにおける該無線リンク指標の統計情報の基準値を計算し、前記設置環境の組み合わせが同一のセルペアのうち、該基準値との差が予め設定された閾値以上のセルペアを、前記無線品質が急激に劣化するセルペアとして検出する請求項１６または１７記載のネットワーク管理装置。
【請求項２０】
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部を備える請求項１６から１９のいずれか１項記載のネットワーク管理装置。
【請求項２１】
自局が管理するセルを介して移動局と無線通信を行う複数の基地局と、
前記複数の基地局を管理するネットワーク管理装置と、
を有する無線通信システムによるハンドオーバ制御方法であって、
前記基地局が、
前記移動局のハンドオーバに伴う、前記移動局が接続中のセルと該セルと隣接する隣接セルから成るセルペア毎の無線リンク指標を集計し、該集計した無線リンク指標の統計情報を前記ネットワーク管理装置へ予め設定された所定の周期毎に送信し、
前記ネットワーク管理装置が、
前記基地局から通知された無線リンク指標に基づき前記無線品質が予め設定された所定の期間内に所定値よりも低下するセルペアを検出するハンドオーバ制御方法。
【請求項２２】
前記無線リンク指標は、ハンドオーバの失敗を示す情報、前記移動局で送受信されるパケットのスループットまたは前記パケットの遅延時間である請求項２１記載のハンドオーバ制御方法。
【請求項２３】
前記ネットワーク管理装置が、
前記無線リンク指標の統計情報の時間経過に伴う変化量が予め設定された所定値以下となるセルペアを、前記無線品質が予め設定された所定の期間内に所定値よりも低下するセルペアとして検出する請求項２１または２２記載のハンドオーバ制御方法。
【請求項２４】
前記セルペアが３以上であるとき、
前記ネットワーク管理装置が、
前記セルの設置環境の組み合わせが同一の複数のセルペアの前記無線リンク指標から該セルペアにおける該無線リンク指標の統計情報の基準値を計算し、前記設置環境の組み合わせが同一のセルペアのうち、該基準値との差が予め設定された閾値以上のセルペアを、前記無線品質が急激に劣化するセルペアとして検出する請求項２１または２２記載のハンドオーバ制御方法。
【請求項２５】
前記ネットワーク管理装置が、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定し、
前記基地局が、
前記ネットワーク管理装置の指示にしたがって前記送信電力、前記アンテナのチルト角または前記判定タイマの少なくとも１つを変更する請求項２１から２４のいずれか１項記載のハンドオーバ制御方法。
【請求項２６】
前記基地局が、
自局が管理するセルと接続中の移動局を特定するための移動局情報を、該移動局のハンドオーバによる接続の切り替え先のセルを管理するターゲット基地局へ所定のタイミングで送信する請求項２１から２５のいずれか１項記載のハンドオーバ制御方法。
【請求項２７】
前記所定のタイミングは、
前記ネットワーク管理装置から前記無線品質が予め設定された所定の期間内に所定値よりも低下するセルペアとして通知されたときである請求項２６記載のハンドオーバ制御方法。
【請求項２８】
前記所定のタイミングは、
前記ネットワーク管理装置から前記無線品質が予め設定された所定の期間内に所定値よりも低下するセルペアとして通知され、その後、自局に新たな移動局の接続が開始されたときである請求項２６記載のハンドオーバ制御方法。
【請求項２９】
コンピュータを、自局が管理するセルを介して移動局と無線通信を行う、無線通信システムが備える基地局として機能させるためのプログラムであって、
前記コンピュータを、
前記移動局のハンドオーバに伴う、前記移動局が接続中のセルと該セルと隣接する隣接セルから成るセルペア毎の無線リンク指標を集計し、該集計した無線リンク指標の統計情報を、自局を管理する上位装置へ予め設定された所定の周期毎に送信する品質情報管理部と、
前記上位装置の指示にしたがって送信電力、アンテナのチルト角または前記移動局との無線リンクで障害が発生したか否かの判定に用いる判定タイマの少なくとも１つを変更する無線パラメータ制御部と、
して機能させるためのプログラム。
【請求項３０】
コンピュータを、自局が管理するセルを介して移動局と無線通信を行う、無線通信システムが備える基地局として機能させるためのプログラムであって、
前記コンピュータを、
前記移動局のハンドオーバに伴うセルペア毎の無線リンク指標を集計し、該集計した無線リンク指標の統計情報を、自局を管理する上位装置へ予め設定された所定の周期毎に送信する品質情報管理部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
して機能させるためのプログラム。
【請求項３１】
前記無線リンク指標は、ハンドオーバの失敗を示す情報、前記移動局で送受信されるパケットのスループットまたは前記パケットの遅延時間である請求項２９または３０記載のプログラム。
【請求項３２】
前記所定のタイミングは、
前記上位装置から前記無線品質が予め設定された所定の期間内に所定値よりも低下するセルペアとして通知されたときである請求項３０または３１記載のプログラム。
【請求項３３】
前記所定のタイミングは、
前記上位装置から前記無線品質が予め設定された所定の期間内に所定値よりも低下するセルペアとして通知され、その後、自局に新たな移動局の接続が開始されたときである請求項３０または３１記載のプログラム。
【請求項３４】
コンピュータを、セルを介して移動局と無線通信を行う複数の基地局を管理するネットワーク管理装置として機能させるためのプログラムであって、
前記コンピュータを、
前記基地局から、前記移動局のハンドオーバに伴う、前記移動局が接続中のセルと該セルと隣接する隣接セルから成るセルペア毎の無線リンク指標を集計した統計情報を予め設定された所定の周期毎に受信し、該無線リンク指標に基づき前記無線品質が予め設定された所定の期間内に所定値よりも低下するセルペアを検出するセルペア検出部として機能させるためのプログラム。
【請求項３５】
前記無線リンク指標は、ハンドオーバの失敗を示す情報、前記移動局で送受信されるパケットのスループットまたは前記パケットの遅延時間である請求項３４記載のプログラム。
【請求項３６】
前記コンピュータに、
前記無線リンク指標の統計情報の時間経過に伴う変化量が予め設定された所定値以下となるセルペアを、前記無線品質が予め設定された所定の期間内に所定値よりも低下するセルペアとして検出させるための請求項３４または３５記載のプログラム。
【請求項３７】
前記セルペアが３以上であるとき、
前記コンピュータに、
前記セルの設置環境の組み合わせが同一の複数のセルペアの前記無線リンク指標から該セルペアにおける該無線リンク指標の統計情報の基準値を計算し、前記設置環境の組み合わせが同一のセルペアのうち、該基準値との差が予め設定された閾値以上のセルペアを、前記無線品質が急激に劣化するセルペアとして検出させるための請求項３４または３５記載のプログラム。
【請求項３８】
前記コンピュータを、
前記検出したセルペアのうち、少なくとも一方のセルを管理する基地局の送信電力、アンテナのチルト角または前記移動局と前記基地局間の無線リンクで障害が発生したか否かの判定に用いる判定タイマの少なくとも１つの調整を決定する無線パラメータ調整部として機能させるための請求項３４から３７のいずれか１項記載のプログラム。
【発明の詳細な説明】
【技術分野】
【０００１】
本発明は、無線通信システム、無線通信システムが備える基地局及びネットワーク管理装置、無線通信システムのハンドオーバ制御方法、並びにコンピュータを基地局及びネットワーク管理装置として機能させるためのプログラムに関する。
【背景技術】
【０００２】
３ＧＰＰ（3rd Generation Partnership Project）で標準化されたＷ−ＣＤＭＡ（Wideband-Code Division Multiple Access）やＬＴＥ（Long Term Evolution）、またはＩＥＥＥ（Institute of Electrical and Electronic Engineers）で標準化されたＷｉＭＡＸ（Worldwide Interoperability for Microwave Access）等に代表される無線セルラシステムでは、屋外に設置された基地局が管理するカバレッジの大きい屋外セル（例えばマクロセル）によってモバイルデータトラヒックが収容される。しかしながら、近年、屋内で発生するモバイルデータトラヒックが増大しており、その対策としてカバレッジが比較的小さい屋内セル（例えばフェムトセル）を管理する屋内用の基地局の設置が進められている。したがって、今後、無線セルラシステムでは、従来から設けられている屋外セルと新たに設けられる屋内セルとが混在する通信環境が増大すると考えられる。
【０００３】
無線セルラシステムでは各基地局が１つ以上のセルをそれぞれ管理しており、移動局は自局が在圏するセルと無線接続（正確には、該セルを管理する基地局と接続）することで、該セルを介して上位ネットワークとの通信が可能になる。移動局が接続中のセルから隣接するセルへ移動する際には、ハンドオーバ（Handover：ＨＯ）と呼ばれる接続するセルの切り替え処理が実行される。ここで、接続中のセルはソースセルと呼ばれ、ハンドオーバによる接続の切り替え先のセルはターゲットセルと呼ばれる。
【０００４】
上記ＬＴＥでは、ハンドオーバを実現するため、ソースセルを管理するソース基地局が、所定のイベントが発生した場合に測定報告を送信するよう接続中の各移動局に対して指示する。所定のイベントとは、例えばソースセルの無線品質よりも該ソースセルと隣接するセルの無線品質が良好となる場合である。セルの無線品質の判定には、移動局が測定する下りリファレンス信号の受信電力（ＲＳＲＰ：Reference Signal Received Power）や下りリファレンス信号の受信品質（ＲＳＲＱ：Reference Signal Received Quality）が用いられる。
【０００５】
移動局で生成する測定報告には、ソースセル及びその隣接セル毎に測定された無線品質の測定結果が含まれる。ソース基地局は、移動局から測定報告を受信すると、該測定報告に基づいてターゲットセルを決定する。そして、該ターゲットセルを管理するターゲット基地局及び移動局との間で所要の制御情報を送受信するシグナリングを含むハンドオーバ処理を実行する。多くの場合、ターゲットセルは隣接セルから選択される。
【０００６】
以下、３ＧＰＰ技術仕様書（非特許文献１）で規定された、ＬＴＥにおける測定報告の送信契機となる報告条件の一例について説明する。
【０００７】
当該技術仕様書では、測定報告の送信契機の１つとしてイベントＡ３（Neighbor becomes offset better than serving）が規定されている。イベントＡ３では測定報告の報告条件が以下の式（１）で定義されている。
【０００８】
Ｍｎ＋Ｏｆｎ＋Ｏｃｎ−Ｈｙｓ＞Ｍｐ＋Ｏｆｐ＋Ｏｃｐ＋Ｏｆｆ…（１)
式（１）は、隣接セルの無線品質（左辺）がソースセルの無線品質（右辺）よりも良好であることを意味する。式（１）のＭｎは移動局が測定した隣接セルの無線品質であり、Ｍｐはソースセルの無線品質である。Ｏｆｎは隣接セルの周波数帯のオフセット（offsetFreq）であり、Ｏｆｐはソースセルの周波数帯のオフセットである。Ｏｃｎは隣接セルのセル固有オフセットであり、Ｏｃｐはソースセルのセル固有オフセットである。Ｈｙｓは、無線品質に付加する、イベントＡ３の報告条件で用いるヒステリシスパラメータであり、Ｏｆｆは、無線品質に付加する、イベントＡ３の報告条件で用いるオフセットパラメータである。
【０００９】
なお、上記Ｏｃｎ及びＯｃｐは、ソースセルとその隣接セルとのセルペア毎に設定される。したがって、隣接セルが複数存在する場合、ソース基地局は隣接セル毎にＯｃｎ及びＯｃｐを設定する。また、ソース基地局はＯｃｎ及びＯｃｐから下記式（２）で算出されるセル個別オフセット（ＣＩＯ：Cell Individual Offset）をセルペア毎に管理する。ＣＩＯが大きいほど、Ｏｃｐに対してＯｃｎが相対的に大きな値となるため、ソースセルから隣接セルへのハンドオーバが促進される。
【００１０】
ＣＩＯ＝Ｏｃｎ−Ｏｃｐ…（２）
ソース基地局は、上記式（１）で示す報告条件を決定すると、自局に接続された各移動局に対して決定した報告条件をそれぞれ通知する。各移動局へ通知する報告条件には、該報告条件の種類（イベントの種類）や使用するパラメータの値が含まれる。
【００１１】
移動局は、ソースセル及び隣接セルの無線品質の測定結果が上記式（１）の報告条件を満たし、かつ該報告条件を満たす状態が予め設定された所定期間ＴＴＴ（Time to Trigger）以上継続する場合にソース基地局へ測定報告を送信する。ＴＴＴは保護時間（guard time）とも呼ばれる。
【００１２】
ソース基地局は、移動局から測定報告を受信すると、該測定報告に基づいてハンドオーバ先のターゲットセルを決定し、該セルを管理するターゲット基地局にハンドオーバを要求する（Handover Request）。ハンドオーバを要求する際、ソース基地局はターゲット基地局にハンドオーバ対象となる移動局を特定するための移動局情報を送信する。移動局情報は、ＬＴＥではUE contextと呼ばれ、ハンドオーバ時にソースセルとターゲットセルを管理する基地局間で移動局を特定するために用いられる情報である。
【００１３】
移動局情報としては、例えば非特許文献１に記載されたAS-Config及び非特許文献２に記載されたUE history informationがある。AS-Configは、移動局のＩＤ（identification data）やソースセルのシステム設定情報等を含む。UE history informationは、移動局の通信履歴に関する情報であり、移動局が最後に接続したセルのＩＤや滞在時間等が含まれる。
【００１４】
ところで、上述したハンドオーバは、無線品質の劣化を検出してから必要な処理を開始する後追い処理であるため、無線品質が急激に変化すると、処理が追いつかずに失敗する可能性がある。ハンドオーバが失敗すると、移動局は無線品質が劣化したソースセルとの通信を継続し、該移動局が他のセルと接続する前にソースセルの無線品質が通信可能な品質よりも低下すると、通信が不能になる期間（瞬断）が発生する。
【００１５】
このようなハンドオーバ失敗を低減する方法としては、上記ＣＩＯやＴＴＴ等のハンドオーバ・パラメータを動的に調整する方法が知られている。
【００１６】
ＬＴＥでは、ハンドオーバ失敗として、Too Late Handover、Too Early Handover、Handover to Wrong Cell、Ping-Pong Handoverが規定されている。Too Late Handoverはターゲットセルに対するハンドオーバのタイミングが遅すぎて失敗する場合であり、Too Early Handoverはターゲットセルに対するハンドオーバのタイミングが早すぎて失敗する場合である。Handover to Wrong Cellは、無線品質が良好と判断してターゲットセルに接続し、接続後に該ターゲットセルの無線品質が劣化してハンドオーバを失敗する場合である。Ping-Pong Handoverとは、ソースセルが同一の隣接セルとの間で短期間にハンドオーバを頻繁に繰り返す場合である。
【００１７】
上述したように、移動局は、例えば式（１）の報告条件を満たす状態が予め設定された所定期間ＴＴＴ以上継続した場合に測定報告を送信する。すなわち、ＴＴＴとして大きな値を設定すれば、ハンドオーバの開始タイミングが遅くなるため、ハンドオーバが発生し難くなる。
【００１８】
上述した移動局の測定報告に基づいてハンドオーバ・パラメータ（ＴＴＴ，ＣＩＯ等）を調整することでハンドオーバ失敗（Too Late Handover，Too Early Handover）を低減する方法は、例えば特許文献１に開示されている。特許文献１では、例えばToo Late Handoverを低減する場合はＣＩＯの値を大きくすることでハンドオーバのタイミングを早めている。また、ＣＩＯを予め設定された上限値まで大きくしてもハンドオーバ失敗が解消されない場合は、ＴＴＴを小さな値に変更してハンドオーバの開始タイミングを早めることでハンドオーバ失敗を低減している。
【００１９】
図１０は、ハンドオーバ・パラメータ（ＣＩＯ）を調整することでハンドオーバ失敗が低減する理由を模式的に示すグラフである。図１０（ａ）及び（ｂ）に示すＲＳＲＰ及びＲＳＲＱの特性は同一である。
【００２０】
図１０（ａ）は、ハンドオーバ処理の開始が遅すぎるためにハンドオーバ失敗が発生する様子を示している。図１０（ａ）では、ソースセルの無線品質（ＲＳＲＰ）が低下して上記式（１）の報告条件を満たし、その後、ＴＴＴが経過する前にソースセルの無線品質（ＲＳＲＱ）が予め設定された所定の閾値（所要品質）よりも低下して無線リンク障害（ＲＬＦ：Radio Link Failure）が発生している。
【００２１】
このような場合、隣接セルの無線品質（ＲＳＲＰ）に設定するＣＩＯの値を大きくすれば、図１０（ｂ）で示すように式（１）の報告条件を満たすタイミングを早めることができるため、ＲＬＦの発生を抑制できる。
【先行技術文献】
【特許文献】
【００２２】
【特許文献１】国際公開第２０１０／００２９２６号
【非特許文献】
【００２３】
【非特許文献１】3GPP TS36.331 v.11.4.0, "Evolved Universal Terrestrial Radio Access (E-UTRA); Radio Resource Control (RRC); Protocol specification," 2013
【非特許文献２】3GPP TS36.423 v11.5.0, "Evolved Universal Terrestrial Radio Access Network (E-UTRAN); X2 Application Protocol (X2AP),"2013
【非特許文献３】3GPP TS36.300 v.11.6.0, "Evolved Universal Terrestrial Radio Access (E-UTRA) and Evolved Universal Terrestrial Radio Access Network (E-UTRAN); Overall description; Stage 2,"2013
【発明の概要】
【発明が解決しようとする課題】
【００２４】
上述したように、無線セルラシステムでは、従来から設けられている屋外セルと新たに設けられる屋内セルとが混在する通信環境が増大すると考えられる。
【００２５】
このような屋外セルと屋内セルとが混在する通信環境では、移動局が屋外と屋内との間で移動した場合に当該移動局における無線品質が急激に変化するため、上述したハンドオーバ・パラメータを調整するだけではハンドオーバ失敗を低減できない場合がある。
【００２６】
この背景技術の課題について図１１を用いて説明する。以下では、屋外セルと屋内セルとが混在する通信環境において、屋外セルがソースセルであり、屋内セルがターゲットセルの例で説明する。
【００２７】
図１１は、屋外セルから屋内セルへ移動する移動局の無線品質（ＲＳＲＰ，ＲＳＲＱ）の変化の様子を模式的に示すグラフである。
【００２８】
移動局が屋外から屋内へ移動すると、屋外と屋内とは建物の壁等で仕切られているため、図１１に示すように、ソースセル（屋外セル）のＲＳＲＰは電波が壁等に侵入する際の侵入損（Penetration loss）によって急激に劣化する。一方、ソースセル（屋外セル）のＲＳＲＱも上記侵入損に加えてターゲットセル（屋内セル）からの干渉波が大きくなることで急激に劣化する。なお、「急激な劣化」とは、無線品質が予め設定された所定の期間内に所定値よりも低下することであり、例えば数百ミリ秒程度以内にＲＳＲＰやＲＳＲＱが１０ｄＢ以上低下することを指す。
【００２９】
通常、ＬＴＥにおいてハンドオーバに要する時間（式（１）の報告条件を満たして移動局が測定報告を基地局へ送信し、該移動局が接続先をソースセルからターゲットセルへ切り替えるまでの期間）は数百ミリ秒程度である。また、３ＧＰＰでは、上記侵入損の指標として１０ｄＢあるいは２０ｄＢの値が用いられる。
【００３０】
一方、上述したハンドオーバ・パラメータを調整する背景技術では、一般的にＣＩＯの調整上限値を６ｄＢ程度に設定している。その理由は、ＣＩＯの調整上限値を６ｄＢ以上に設定すると、移動局が通信可能な無線品質（所要品質）を満たさないセルと接続する可能性があるからである。移動局が所要品質を満たさないセルと接続すると、該移動局はセルとのシグナリングが困難になり、上りリンクの同期はずれが起きてＲＬＦが発生してしまう。
【００３１】
すなわち、移動局が屋外セルから屋内セルへ移動した場合、ＣＩＯを調整上限値まで変更しても、該調整上限値よりも侵入損の方が大きいため、ＲＬＦが発生してハンドオーバ失敗（Too Late Handover）が発生してしまう。
【００３２】
なお、ＬＴＥにおけるＲＬＦ判定は、基地局から通知されるＲＬＦ判定用のパラメータである判定回数Ｎ３１０及び判定タイマＴ３１０を用いて移動局が実施する。移動局は、ソースセルの無線品質が予め設定された所定の閾値（ＲＬＦ判定閾値）以下になると、その状態が判定タイマＴ３１０の設定時間を超えるか否かを確認する。そして、判定タイマＴ３１０の設定時間を超えて無線品質がＲＬＦ判定閾値よりも低下した回数を計数し、該回数が上記判定回数Ｎ３１０に到達した場合にＲＬＦと判定する。
【００３３】
本発明は上述したような背景技術が有する問題点を解決するために成されたものであり、ハンドオーバに伴う通信の瞬断時間の低減に寄与する無線通信システム、無線通信システムが備える基地局及びネットワーク管理装置、無線通信システムのハンドオーバ制御方法、並びにコンピュータを基地局及びネットワーク管理装置として機能させるためのプログラムを提供することを目的とする。
【課題を解決するための手段】
【００３４】
上記目的を達成するため本発明の無線通信システムは、自局が管理するセルを介して移動局と無線通信を行う複数の基地局と、
前記複数の基地局を管理するネットワーク管理装置と、
を有し、
前記基地局は、
前記移動局のハンドオーバに伴う、前記移動局が接続中のセルと該セルと隣接する隣接セルから成るセルペア毎の無線リンク指標を集計し、該集計した無線リンク指標の統計情報を前記ネットワーク管理装置へ予め設定された所定の周期毎に送信する品質情報管理部を備え、
前記ネットワーク管理装置は、
前記基地局から通知された無線リンク指標の統計情報に基づき前記無線品質が予め設定された所定の期間内に所定値よりも低下するセルペアを検出するセルペア検出部を備える。
【００３５】
本発明の基地局は、自局が管理するセルを介して移動局と無線通信を行う、無線通信システムが備える基地局であって、
前記移動局のハンドオーバに伴う、前記移動局が接続中のセルと該セルと隣接する隣接セルから成るセルペア毎の無線リンク指標を集計し、該集計した無線リンク指標の統計情報を、自局を管理する上位装置へ予め設定された所定の周期毎に送信する品質情報管理部と、
前記上位装置の指示にしたがって送信電力、アンテナのチルト角または前記移動局との無線リンクで障害が発生したか否かの判定に用いる判定タイマの少なくとも１つを変更する無線パラメータ制御部と、
を有する。
【００３６】
または、自局が管理するセルを介して移動局と無線通信を行う、無線通信システムが備える基地局であって、
前記移動局のハンドオーバに伴うセルペア毎の無線リンク指標を集計し、該集計した無線リンク指標の統計情報を、自局を管理する上位装置へ予め設定された所定の周期毎に送信する品質情報管理部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
を有する。
【００３７】
本発明のネットワーク管理装置は、セルを介して移動局と無線通信を行う複数の基地局を管理するネットワーク管理装置であって、
前記基地局から、前記移動局のハンドオーバに伴う、前記移動局が接続中のセルと該セルと隣接する隣接セルから成るセルペア毎の無線リンク指標を集計した統計情報を予め設定された所定の周期毎に受信し、該無線リンク指標に基づき前記無線品質が予め設定された所定の期間内に所定値よりも低下するセルペアを検出するセルペア検出部を備える。
【００３８】
本発明のハンドオーバ制御方法は、自局が管理するセルを介して移動局と無線通信を行う複数の基地局と、
前記複数の基地局を管理するネットワーク管理装置と、
を有する無線通信システムによるハンドオーバ制御方法であって、
前記基地局が、
前記移動局のハンドオーバに伴う、前記移動局が接続中のセルと該セルと隣接する隣接セルから成るセルペア毎の無線リンク指標を集計し、該集計した無線リンク指標の統計情報を前記ネットワーク管理装置へ予め設定された所定の周期毎に送信し、
前記ネットワーク管理装置が、
前記基地局から通知された無線リンク指標に基づき前記無線品質が予め設定された所定の期間内に所定値よりも低下するセルペアを検出する方法である。
【００３９】
本発明のプログラムは、コンピュータを、自局が管理するセルを介して移動局と無線通信を行う、無線通信システムが備える基地局として機能させるためのプログラムであって、
前記コンピュータを、
前記移動局のハンドオーバに伴う、前記移動局が接続中のセルと該セルと隣接する隣接セルから成るセルペア毎の無線リンク指標を集計し、該集計した無線リンク指標の統計情報を、自局を管理する上位装置へ予め設定された所定の周期毎に送信する品質情報管理部と、
前記上位装置の指示にしたがって送信電力、アンテナのチルト角または前記移動局との無線リンクで障害が発生したか否かの判定に用いる判定タイマの少なくとも１つを変更する無線パラメータ制御部と、
して機能させるためのものである。
【００４０】
または、コンピュータを、自局が管理するセルを介して移動局と無線通信を行う、無線通信システムが備える基地局として機能させるためのプログラムであって、
前記コンピュータを、
前記移動局のハンドオーバに伴うセルペア毎の無線リンク指標を集計し、該集計した無線リンク指標の統計情報を、自局を管理する上位装置へ予め設定された所定の周期毎に送信する品質情報管理部と、
自局が管理するセルと接続中の移動局を特定するための移動局情報を、該移動局のハンドオーバによる接続の切り替え先のセルを管理するターゲット基地局へ所定のタイミングで送信する移動局情報転送部と、
して機能させるためのものである。
【００４１】
または、コンピュータを、セルを介して移動局と無線通信を行う複数の基地局を管理するネットワーク管理装置として機能させるためのプログラムであって、
前記コンピュータを、
前記基地局から、前記移動局のハンドオーバに伴う、前記移動局が接続中のセルと該セルと隣接する隣接セルから成るセルペア毎の無線リンク指標を集計した統計情報を予め設定された所定の周期毎に受信し、該無線リンク指標に基づき前記無線品質が予め設定された所定の期間内に所定値よりも低下するセルペアを検出するセルペア検出部として機能させるためのものである。
【発明の効果】
【００４２】
本発明によれば、ハンドオーバに伴う通信の瞬断時間の低減に寄与する無線通信システム、基地局、ネットワーク管理装置、ハンドオーバ制御方法及びプログラムが得られる。
【図面の簡単な説明】
【００４３】
【図１】第１の実施の形態の無線通信システムの一構成例を示すブロック図である。
【図２】第１の実施の形態のネットワーク管理装置及び基地局の一構成例を示すブロック図である。
【図３】第１の実施の形態の無線通信システムの動作の一例を示すシーケンス図である。
【図４】第１の実施の形態のネットワーク管理装置で保存されるハンドオーバ失敗の統計情報の一例を示す図であり、同図（ａ）はＣＩＯ調整前のテーブル図、同図（ｂ）はＣＩＯ調整後のテーブル図である。
【図５】第２の実施の形態の無線通信システムの動作の一例を示すシーケンス図である。
【図６】第２の実施の形態のネットワーク管理装置で保存されるハンドオーバ失敗の統計情報の一例を示すテーブル図である。
【図７】第３の実施の形態のネットワーク管理装置及び基地局の一構成例を示すブロック図である。
【図８】第３の実施の形態の無線通信システムの動作の一例を示すシーケンス図である。
【図９】第４の実施の形態の無線通信システムの動作の一例を示すシーケンス図である。
【図１０】ハンドオーバ・パラメータ（ＣＩＯ）を調整することでハンドオーバ失敗が低減する理由を模式的に示すグラフである。
【図１１】屋外セルから屋内セルへ移動する移動局の無線品質（ＲＳＲＰ，ＲＳＲＱ）の変化の様子を模式的に示すグラフである。
【発明を実施するための形態】
【００４４】
次に本発明について図面を用いて説明する。
（第１の実施の形態）
第１の実施の形態は、無線品質が急激に劣化することでハンドオーバ失敗が発生するセルペアを検出し、該セルペアの無線パラメータ（例えば送信電力）を変更してハンドオーバ失敗を抑制する。第１の実施の形態では、無線通信システムとして上記ＬＴＥに対応する無線セルラシステムを想定する。この点については後述する第２〜第４の実施の形態も同様である。
【００４５】
図１は、第１の実施の形態の無線通信システムの一構成例を示すブロック図である。
【００４６】
図１に示すように、第１の実施の形態の無線通信システムは、ネットワーク管理装置１０、複数の基地局２０及び複数の移動局３０を備える。
【００４７】
ネットワーク管理装置１０は複数の基地局２０を管理する。各基地局２０は、それぞれ１つ以上のセル２１を管理する。移動局３０は自局が在圏するセル２１を管理する基地局２０と無線接続することで該基地局２０と双方向の無線通信が可能である。
【００４８】
基地局２０は、不図示の上位ネットワークと接続され、移動局３０と上位ネットワーク間のトラヒックを中継する。上位ネットワークには無線アクセスネットワーク及びコアネットワークが含まれる。また、基地局２０には無線信号を中継するリレー基地局等も含まれる。
【００４９】
図１では無線通信システムが３台の基地局２０を備える構成例を示しているが、無線通信システムを構成する基地局２０の数は何台でもよい。また、図１では各基地局２０がそれぞれ１つのセル２１を管理する構成例を示しているが、基地局２０は複数のセルを管理する構成もある。
【００５０】
図２は、第１の実施の形態のネットワーク管理装置及び基地局の一構成例を示すブロック図である。
【００５１】
図２ではソースセル２１Ａを管理する基地局に符号２０Ａを付与し、隣接セル２１Ｂを管理する基地局に符号２０Ｂを付与している。図１に示した各基地局２０は、それぞれ同一の構成であり、ソース基地局として動作する場合は図２に示す基地局２０Ａとなり、ターゲット基地局として動作する場合は図２に示す基地局２０Ｂとなる。
【００５２】
図２に示すように、基地局２０Ａは、品質情報管理部２００Ａ、品質情報通信部２０１Ａ及び無線パラメータ制御部２０２Ａを備える。基地局２０Ｂは、品質情報管理部２００Ｂ、品質情報通信部２０１Ｂ及び無線パラメータ制御部２０２Ｂを備える。基地局２０Ａと基地局２０Ｂとは周知の通信インタフェースを介して互いに情報の送受信が可能な構成である。例えばＬＴＥの場合、基地局２０Ａと基地局２０Ｂとは有線インタフェースであるＸ２インタフェースを用いて必要な情報を送受信する。
【００５３】
品質情報管理部２００Ａは、セルペア毎の無線リンク指標として、例えばハンドオーバの成否情報を品質情報通信部２０１Ｂから取得する。ハンドオーバの成否情報とは、ハンドオーバ失敗を示す情報（以下、ハンドオーバ失敗情報と称す）である。
【００５４】
品質情報管理部２００Ａは、隣接セル毎にハンドオーバの試行回数を集計すると共に、品質情報通信部２０１Ａから取得したハンドオーバ失敗情報に基づきハンドオーバ失敗の原因毎に各セルペアの失敗数を集計する。ここでは、ハンドオーバ失敗の原因として、Too Late Handoverを例にして説明する（非特許文献３参照）。上述したようにハンドオーバ失敗には、Too Early Handover、Handover to Wrong cell、Ping-Pong Handoverもある。なお、Ping-Pong Handoverは、品質情報通信部２０１Ｂから取得可能な、後述する移動局の通信履歴情報（UE history information）を用いて検出すればよい。品質情報管理部２００Ａは、集計したハンドオーバ失敗の統計情報をネットワーク管理装置１０へ予め設定された所定の周期毎に送信する。
【００５５】
品質情報通信部２０１Ａは、移動局３０のハンドオーバ失敗を検出すると、品質情報管理部２００Ａにそのハンドオーバ失敗情報を通知する。ハンドオーバ失敗情報には、ハンドオーバ対象の移動局３０、ハンドオーバを行うソースセル及びターゲットセルの識別情報（例えば、ＰＣＩ：Physical Cell ID）と移動局３０がハンドオーバ失敗後に接続したセルの識別情報とを含む。
【００５６】
ここでは、ＬＴＥに関する３ＧＰＰ技術仕様書（非特許文献２）で規定されたRLF INDICATIONを用いてハンドオーバ失敗（Too Late Handover）を検出する。RLF INDICATIONは、移動局３０でＲＬＦが発生したことを通知するための基地局間のシグナリングで用いるメッセージである。Too Late Handoverの具体的な検出方法は以下のとおりである。
【００５７】
ハンドオーバ処理が成功すると、基地局２０Ｂはハンドオーバ対象である移動局３０の移動局情報の解放指示（UE Context Release）をソース基地局へ送信する。一方、ハンドオーバ処理が失敗すると、基地局２０Ｂは品質情報通信部２０１Ｂにより基地局２０Ａの品質情報管理部２００Ａへ上記ハンドオーバ失敗情報を含むRLF INDICATIONを通知する。
【００５８】
品質情報管理部２００Ａは、RLF INDICATIONを受信すると、Too Late Handoverが発生したと判定する。なお、上述したように、品質情報管理部２００Ａは、品質情報通信部２０１Ｂから取得した移動局の通信履歴情報（UE history information）を用いてPing-Pong Handoverを検出し、該Ping-Pong Handoverをハンドオーバ失敗情報として用いてもよい。
【００５９】
無線パラメータ制御部２０２Ａは、ネットワーク管理装置１０の指示にしたがって無線パラメータを変更する。本実施形態では無線パラメータとして、例えば送信電力を変更する。
【００６０】
図２に示すように、ネットワーク管理装置１０は、品質統計記憶部１００、セルペア検出部１０１及び無線パラメータ調整部１０２を備える。ネットワーク管理装置１０は、基地局２０Ａ及び基地局２０Ｂと周知の通信インタフェースを介して互いに情報の送受信が可能な構成である。
【００６１】
品質統計記憶部１００は、基地局２０Ａから報告されるハンドオーバ失敗の統計情報を保存する。品質統計記憶部１００は、保存したハンドオーバ失敗の統計情報をセルペア検出部１０１に出力する。セルペア検出部１０１は、ハンドオーバ失敗の統計情報に基づいて無線品質が急激に劣化するセルペアを検出し、その検出結果を無線パラメータ調整部１０２に供給する。無線パラメータ調整部１０２は、該検出結果に基づき基地局２０Ａの無線パラメータの変更を決定し、その変更後の無線パラメータ値を基地局２０Ａに通知する。
【００６２】
図２に示す基地局２０Ａが備える品質情報管理部２００Ａ、品質情報通信部２０１Ａ及び無線パラメータ制御部２０２Ａは、例えばメモリ、各種の論理回路、制御プログラムにしたがって所定の処理を実行するＣＰＵ（Central Processing Unit）等を備えた情報処理装置（コンピュータ）によって実現できる。ＣＰＵは、制御プログラムにしたがって処理を実行することで品質情報管理部２００Ａ、品質情報通信部２０１Ａ及び無線パラメータ制御部２０２Ａの機能を実現する。図２に示す基地局２０Ｂが備える品質情報管理部２００Ｂ、品質情報通信部２０１Ｂ及び無線パラメータ制御部２０２Ｂも同様である。
【００６３】
また、図２に示すネットワーク管理装置１０が備える品質統計記憶部１００、セルペア検出部１０１及び無線パラメータ調整部１０２も、例えばメモリ、各種の論理回路、制御プログラムにしたがって所定の処理を実行するＣＰＵ等を備えた情報処理装置（コンピュータ）によって実現できる。
【００６４】
次に第１の実施の形態の無線通信システムの動作について図３を用いて説明する。
【００６５】
図３は、第１の実施の形態の無線通信システムの動作の一例を示すシーケンス図である。
【００６６】
図３は、背景技術で示したＣＩＯ調整を実施し、ＣＩＯを変更してもハンドオーバの失敗率が改善しない場合、無線品質が急激に劣化するセルペアであると判定し、該セルペアの無線パラメータ（送信電力）を変更する例を示している。
【００６７】
図３に示すように、基地局２０Ａ（以下、ソース基地局）は、まずハンドオーバの試行回数と、基地局２０Ｂから通知されるRLF INDICATIONとを用いてハンドオーバ失敗（Too Late Handover）の統計情報を生成する（ステップＳ１０１）。RLF INDICATIONは、移動局３０でＲＬＦ及びToo Late Handoverが発生したときに基地局２０Ｂから通知されるため、該RLF INDICATIONの通知回数とソース基地局２０Ａで管理しているハンドオーバの試行回数からToo Late Handoverの発生率を計算できる。
【００６８】
次に、ソース基地局２０ＡはステップＳ１０１で生成したハンドオーバ失敗の統計情報をネットワーク管理装置１０に通知する（ステップＳ１０２）。ネットワーク管理装置１０は、ソース基地局２０Ａから通知されたハンドオーバ失敗の統計情報に基づき該ソース基地局２０Ａが管理するソースセルを含むセルペアのＣＩＯの調整要否を決定する（ステップＳ１０３）。
【００６９】
図４（ａ）は、背景技術で示したＣＩＯ調整前のハンドオーバ失敗の統計情報の一例を示している。図４（ａ）に示すように、ハンドオーバ失敗の統計情報には、各セルペアのハンドオーバの試行回数とToo Late Handoverの発生回数及び発生率とを含む。
【００７０】
図４（ａ）に示す例では、セル＃０（ソースセル）とセル＃１のセルペアのToo Late Handoverの発生率が高いため、該セルペアのＣＩＯを調整する。ＣＩＯの調整要否は、予めToo Late Handoverの発生率に設定された、該発生率に要求される上限値を超えているか否かで判定すればよい。ＣＩＯの値は、例えば予め設定された所定の調整単位であるステップサイズ毎に変更する。例えば、ステップサイズを３ｄＢとした場合、ネットワーク管理装置１０は、セル＃０（ソースセル）とセル＃１のセルペアのＣＩＯについて、０ｄＢから３ｄＢへの変更を決定する。
【００７１】
次に、ネットワーク管理装置１０は、ソース基地局２０ＡへＣＩＯの変更を指示すると共に、ステップＳ１０３で決定した変更後のＣＩＯの値をソース基地局２０Ａへ通知する（ステップＳ１０４）。ソース基地局２０Ａは、ネットワーク管理装置１０の指示にしたがって指定されたセルペアのＣＩＯの値を変更する（ステップＳ１０５）。ＣＩＯの値を変更すると、ソース基地局２０Ａは上記ステップＳ１０１〜Ｓ１０２の処理を繰り返し、ハンドオーバ失敗の統計情報を再び生成してネットワーク管理装置１０へ通知する。
【００７２】
ネットワーク管理装置１０は、ソース基地局２０Ａから通知された統計情報に基づき、無線品質が急激に劣化するセルペアを検出する（ステップＳ１０６）。ここでは、Too Late Handoverの発生率の時間経過に伴う変化量から無線品質が急激に劣化するセルペアを検出する。具体的には、以下の式（３）で示す判定条件を満たすセルペアを無線品質が急激に劣化するセルペアであると判定する。
【００７３】
Ｐｍ，ｎ（ｋ−１）−Ｐｍ，ｎ（ｋ）＜Ｐｒ…（３）
ここで、Ｐｍ，ｎ（ｋ−１）は時刻ｋ−１におけるセル＃ｍとセル＃ｎのセルペアのToo Late Handoverの発生率であり、Ｐｍ，ｎ（ｋ）は時刻ｋにおけるセル＃ｍとセル＃ｎのセルペアのToo Late Handoverの発生率である。ソース基地局２０Ａからネットワーク管理装置１０には、ステップＳ１０２で示すハンドオーバ失敗（Too Late Handover）の統計情報が予め設定された所定の周期毎に報告される。時刻ｋ−１及びｋはソース基地局２０Ａからネットワーク管理装置１０にToo Late Handoverの統計情報が報告される時刻である。Ｐｒは１回のＣＩＯ調整によって改善されるToo Late Handoverの発生率に要求される値である。すなわち、１回のＣＩＯ調整によって改善されるToo Late Handoverの発生率が要求値を満たさない場合、無線品質が急激に劣化してToo Late Handoverが発生すると判定する。
【００７４】
図４（ｂ）は、図４（ａ）で示した状態からＣＩＯ調整後（ＣＩＯ＝３ｄＢ）に算出されたハンドオーバ失敗の統計情報の一例を示している。
【００７５】
図４（ａ）及び（ｂ）で示す例では、セル＃０とセル＃１のセルペアにおけるＣＩＯ調整前のToo Late Handoverの発生率が２０％であり、ＣＩＯ調整後のToo Late Handoverの発生率が１９％である。ここで、ＣＩＯ調整によって改善されるToo Late Handoverの発生率の要求値Ｐｒを５％と仮定すると、セル＃０とセル＃１のセルペアは上記式（３）で示す判定条件を満たしている。すなわち、セル＃０とセル＃１のセルペアは、ＣＩＯ調整だけではToo Late Handoverを回避できない、無線品質の急激な劣化によりToo Late Handoverが発生するセルペアと判定される。
【００７６】
一方、上記式（３）で示す判定条件を満たさないセルペアは、ＣＩＯ調整だけでToo Late Handoverの発生率が十分に低減できると判定できる。その場合、Too Late Handoverの発生率が予め設定された目標値となるまでステップＳ１０１〜Ｓ１０５の処理を繰り返せばよい。
【００７７】
ここではＣＩＯ調整前後のToo Late Handoverの発生率の変化から無線品質が急激に劣化するセルペアを検出する例を示したが、Too Early Handover、Handover to Wrong Cell、Ping-Pong Handoverを用いる場合もＣＩＯ調整前後のそれらの発生率の変化から無線品質が急激に劣化するセルペアを検出すればよい。
【００７８】
なお、ＣＩＯ調整後にToo Late Handoverの発生率が要求値を満たさなくても、Too Early HandoverやPing-Pong Handoverの発生率が要求値よりも小さい場合はＣＩＯをさらに調整（大きな値に変更）すればToo Late Handoverの発生率が低減する余地があると考えられる。そのような場合、ステップＳ１０１〜Ｓ１０５の処理を再度実行し、ネットワーク管理装置１０に次の統計情報が通知された時点で、無線品質が急激に劣化するセルペアの有無を判定すればよい。
【００７９】
次に、ネットワーク管理装置１０は、ステップＳ１０６で検出したセルペアのソースセルを管理するソース基地局２０Ａで調整する無線パラメータを決定する（ステップＳ１０７）。具体的には、調整する無線パラメータとして送信電力を選択し、ソース基地局２０Ａの送信電力を予め設定された所定の調整単位であるステップサイズだけ増加させる。ここではステップサイズを、例えば１ｄＢとする。ステップサイズの値はその他の値でもよい。
【００８０】
次に、ネットワーク管理装置１０は、調整する無線パラメータ（送信電力）及びその値（ステップサイズ）の情報を含むパラメータ情報をソース基地局２０Ａに通知する（ステップＳ１０８）。ソース基地局２０Ａは、ネットワーク管理装置１０から通知されたパラメータ情報にしたがって送信電力を変更する（ステップＳ１０９）。なお、ネットワーク管理装置１０は、ステップＳ１０６の処理でセルペアが検出されなかった場合、無線品質が急激に劣化するセルペアが存在しないと判定してステップＳ１０７〜Ｓ１０９の処理を省略する。
【００８１】
第１の実施の形態では、図３に示すステップＳ１０１〜Ｓ１０９の処理を繰り返し実行することで、ソース基地局２０Ａの送信電力を最適な値に設定する。
【００８２】
以下では、ソース基地局２０Ａの送信電力を増加させる理由について説明する。
【００８３】
ＣＩＯ調整によってハンドオーバ失敗（Too Late Handover）の発生率が低下しない場合、上記式（１）で示した報告条件を満たす状態がＴＴＴを超える前にソースセルの無線品質（ＲＳＲＱ）が急激に劣化していると考えられる。その結果、無線リンク障害（ＲＬＦ：Radio Link Failure）が起きてハンドオーバ失敗（Too Late Handover）が発生する。そこで、ソース基地局２０Ａの送信電力を増加させることでソースセルの無線品質（ＲＳＲＱ）を向上させる。ソース基地局２０Ａの送信電力は、例えば移動局３０でＲＬＦが発生しないレベルまで増加させればよい。
【００８４】
なお、上記説明ではソース基地局２０Ａの送信電力を増加させて移動局３０でＲＬＦを発生させない例を示したが、隣接セル＃１（ターゲットセル）を管理するターゲット基地局２０Ｂの送信電力を下げることで、移動局３０でＲＬＦが発生しないようにしてもよい。このターゲット基地局２０Ｂの送信電力を下げる処理をソース基地局２０Ａの送信電力を増加させる処理と併用すれば、セルペアを形成する２つのセルのうち、所望のセルを管理する基地局２０の送信電力を制御できる。
【００８５】
例えば、ピコセルとフェムトセルのように、セルペアを形成する２つのセルの大きさが異なる場合、カバレッジが小さいセルの送信電力を変更することが望ましい。その理由は、カバレッジが小さいセルの方が該セルと接続する移動局数が少ないため、該セルペアを利用する全移動局３０に与える影響が少ないと考えられるからである。上述したソース基地局２０Ａの送信電力を増加させる処理とターゲット基地局２０Ｂの送信電力を下げる処理とを併用すれば、送信電力を調整するセルとしてカバレッジが小さい方のセルを選択できる。
【００８６】
また、上記説明では、ソース基地局２０Ａまたはターゲット基地局２０Ｂの送信電力を調整する例を示したが、調整する無線パラメータは、送信電力に限定する必要はなく、例えばアンテナチルト角やＲＬＦ用の判定タイマ（Ｔ３１０）等でもよい。ＲＬＦ用の判定タイマ（Ｔ３１０）は、上述したＬＴＥで規定された、移動局３０と基地局２０間の無線リンクで障害が発生したか否かの判定に用いる判定タイマである。
【００８７】
アンテナチルト角を調整する場合は、送信電力の増加に代えてアンテナをアップチルトさせ（主放射面を天空方向へ向けて電波の放射領域を拡大させる）、送信電力の低下に代えてアンテナをダウンチルトさせ（主放射面を地上方向へ向けて電波の放射領域を縮小させる）ればよい。送信電力を調整する場合と同様に、図３に示したステップＳ１０１〜Ｓ１０９の処理を繰り返し実行することで、基地局２０のアンテナチルト角を最適な値に設定する。
【００８８】
また、判定タイマ（Ｔ３１０）を調整する場合は、送信電力の増加や低下に代えて判定タイマ（Ｔ３１０）の値を小さくしてハンドオーバ失敗時の再接続時間を短縮することで、再接続処理を早く実施させればよい。上記説明では、ソース基地局１０Ａまたはターゲット基地局１０Ｂの送信電力、アンテナチルト角または判定タイマ（Ｔ３１０）のいずれか１つを調整する例を示したが、これらの無線パラメータは２つ以上組み合わせて調整してもよい。このように複数の無線パラメータを組み合わせて調整すれば、それぞれの調整量が少なくて済む。
【００８９】
また、上記説明では、ソース基地局２０Ａまたはターゲット基地局２０Ｂのいずれか一方の無線パラメータを調整する例を示したが、ソース基地局２０Ａ及びターゲット基地局２０Ｂの両方の無線パラメータを調整してもよい。例えば、ソース基地局２０Ａの送信電力を増加させると共に、ターゲット基地局２０Ｂの送信電力を下げれば、それぞれの調整量が少なくて済む。
【００９０】
また、上記説明では、ハンドオーバ失敗の統計情報を用いて無線品質が急激に劣化するセルペアを検出する例を示したが、無線品質が急激に劣化するセルペアは、その他のセルペア毎の無線リンク指標を用いて検出してもよい。そのような指標としては、各基地局２０で管理している、例えば移動局３０が送受信するパケットのスループットやパケットの遅延時間等が考えられる。その場合、品質情報管理部２００Ａでスループットや遅延時間を測定してセルペア毎に集計し、それらの値が予め設定された所定の閾値よりも低下した回数やその発生率を、ハンドオーバ失敗の回数や発生率に代えて用いればよい。スループットや遅延時間は周知の方法で測定すればよく、ここではその説明を省略する。
【００９１】
第１の実施の形態によれば、無線品質の急激な劣化によりハンドオーバ処理中にＲＬＦが発生するセルペアにおいて、例えばソース基地局２０Ａの送信電力を増加させて無線品質を改善することでＲＬＦの発生を抑制してハンドオーバ失敗の発生率を低減できる。そのため、ハンドオーバに伴う通信の瞬断時間が低減される。
【００９２】
なお、第１の実施の形態では、各基地局２０が、品質情報管理部、品質情報通信部及び無線パラメータ制御部をそれぞれ備え、ネットワーク管理装置１０が品質統計記憶部、セルペア検出部及び無線パラメータ調整部を備える構成例を示したが、本発明の目的（ハンドオーバに伴う通信の瞬断時間の低減に寄与する）は各基地局２０が品質情報管理部を備え、ネットワーク管理装置１０がセルペア検出部を備えていれば達成することが可能である。すなわち、各基地局２０が品質情報管理部を備え、ネットワーク管理装置１０がセルペア検出部を備えていれば、作用・効果が生じて本発明の課題を解決することができる。
(第２の実施の形態)
図５は、第２の実施の形態の無線通信システムの動作の一例を示すシーケンス図である。
【００９３】
図５に示すように、第２の実施の形態の無線通信システムは、ＣＩＯ調整を実施しない点で第１の実施の形態の無線通信システムと異なる。また、第２の実施の形態の無線通信システムは、無線品質が急激に劣化するセルペアの検出方法が第１の実施の形態と異なる。すなわち、第２の実施の形態では、ハンドオーバ失敗の統計情報のセルペア間の差に基づいて無線品質が急激に劣化するセルペアを検出する。無線通信システムの構成、並びにネットワーク管理装置３０及び基地局２０の構成は、第１の実施の形態と同じであるため、ここではその説明を省略する。
【００９４】
以下、第２の実施の形態におけるセルペアの検出方法について説明する。
【００９５】
第２の実施の形態では、ネットワーク管理装置１０がセルペア毎に各々のセルの設置環境（屋外、屋内等）の情報も併せて管理する。また、設置環境の組み合わせが同一のセルペアは無線リンク指標の統計情報（例えばハンドオーバ失敗の発生率）が同等であるという仮定に基づき、設置環境の組み合わせが同一のセルペアにおける無線リンク指標の統計情報の基準値を計算する。そして、設置環境の組み合わせが同一の複数のセルペアのうち、該基準値との差が予め設定された閾値以上のセルペアを無線品質が急激に劣化するセルペアとして検出する。無線品質が急激に劣化するセルペアの検出に用いる無線リンク指標は、第１の実施の形態と同様に、各基地局２０で管理している、例えば移動局３０が送受信するパケットのスループットやパケットの遅延時間等でもよい。なお、第２の実施の形態では、上述したように設置環境の組み合わせが同一のセルペアにおける無線リンク指標の統計情報の基準値を計算するため、無線通信システムには少なくとも３以上のセルペアが必要になる。
【００９６】
第２の実施の形態では、以下の式（４）を満たすか否かを判定することでセルペアを検出する。
【００９７】
Ｐｍ，ｎ（ｋ）−Ｐａｖｅ（ｋ）＞Ｐｔｈ…（４）
ここで、Ｐｍ，ｎ（ｋ）は時刻ｋにおけるセル＃ｍとセル＃ｎのセルペアのToo Late Handoverの発生率であり、Ｐａｖｅ（ｋ）は時刻ｋにおける屋外セルと屋内セルのセルペアのToo Late Handoverの平均発生率である。Ｐｔｈは予め設定された所定の閾値である。セル＃ｍとセル＃ｎのセルペアは、一方が屋外セルであり、他方が屋内セルのセルペアとする。
【００９８】
Ｐａｖｅ（ｋ）は、ハンドオーバ失敗の統計情報のうち、屋外セルと屋内セルの組み合わせから成る全てのセルペアにおけるToo Late Handoverの発生率を単純に平均した値である。すなわち、上記式（４）は、検出対象となるセルペアのToo Late Handoverの発生率と、該セルペアと同じ屋外セルと屋内セルの組み合わせから成る全てのセルペアのToo Late Handoverの平均発生率との差が閾値Ｐｔｈよりも大きい場合、該検出対象となるセルペアは無線品質が急激に劣化すると判定する。
【００９９】
図６は、第２の実施の形態のネットワーク管理装置で保存されるハンドオーバ失敗の統計情報の一例を示すテーブル図である。
【０１００】
図６は、ソースセルであるセル＃０（屋外セル）の隣接セル毎に、屋外セルまたは屋内セルであるかを示す設置環境をハンドオーバ失敗の統計情報と共に管理する例を示している。
【０１０１】
図６に示す例では、屋外セルと屋内セルのセルペア（セル＃０とセル＃２，セル＃０とセル＃３，セル＃０とセル＃４，セル＃０とセル＃Ｎ）におけるToo Late Handoverの平均発生率Ｐａｖｅが（２０＋１＋２＋１）/４＝６％である。
【０１０２】
ここで、検出閾値Ｐｔｈを１０％とすると、セル＃０とセル＃３のセルペアのToo Late Handoverの発生率は２０％であるため、上記式（４）を満たしている。したがって、このセル＃０とセル＃３のセルペアを無線品質が急激に劣化するセルペアとして検出する。
【０１０３】
ハンドオーバ失敗が発生するセルペアを検出すると、第１の実施の形態と同様に基地局２０の無線パラメータ、例えば送信電力を変更すればよい。無線パラメータの変更方法は第１の実施の形態と同様であるため、ここではその説明を省略する。
【０１０４】
なお、本実施形態では、設置環境として屋外セルまたは屋内セルの情報を保存する例を示したが、設置環境に代えてセルサイズ（マクロセル、フェムトセル等）の情報を保存してもよい。これは、一般的に屋外にはカバレッジが大きいマクロセルを設置し、屋内にはカバレッジが小さいフェムトセルを設置することが多いためである。この場合は、セルサイズの組み合わせが同一のセルペアとの間でハンドオーバ失敗の統計情報を比較すればよい。
【０１０５】
また、設置環境やセルサイズ等の情報は、ＰＣＩ等を利用して管理してもよい。例えば、設置環境（屋外セル、屋内セル）やセルサイズ（マクロセル、ピコセル、フェムトセル）に応じて設定するＰＣＩの値の範囲を予め決めておけば、ＰＣＩの値からセルペアの設置環境やセルサイズの組み合わせを判別できる。
【０１０６】
さらに、第２の実施の形態では、第１の実施の形態と同様にＣＩＯ調整を実施し、ＣＩＯ調整によってハンドオーバ失敗（Too Late Handover）の発生率が低下しない場合に、本実施形態で示したセルペアの検出方法を採用してもよい。
【０１０７】
また、ハンドオーバ失敗が発生するセルペアの検出精度を高めるため、セルペアの検出に用いるハンドオーバ失敗の統計情報の収集タイミングや収集期間は同一にすることが望ましい。
【０１０８】
第２の実施の形態によれば、セルの設置環境の組み合わせが同一のセルペアのハンドオーバ失敗の統計情報を参照して無線品質が急激に劣化するセルペアを検出するため、第１の実施の形態のようにＣＩＯ調整前後の統計情報の変化を用いる必要が無い。そのため、第１の実施の形態と同様の効果が得られると共に、短時間で無線品質が急激に劣化するセルペアを検出できる。
【０１０９】
なお、第２の実施の形態では、第１の実施の形態と同様に、各基地局２０が、品質情報管理部、品質情報通信部及び無線パラメータ制御部をそれぞれ備え、ネットワーク管理装置１０が品質統計記憶部、セルペア検出部及び無線パラメータ調整部を備える構成例を示したが、本発明の目的（ハンドオーバに伴う通信の瞬断時間の低減に寄与する）は各基地局２０が品質情報管理部を備え、ネットワーク管理装置１０がセルペア検出部を備えていれば達成することが可能である。すなわち、各基地局２０が品質情報管理部を備え、ネットワーク管理装置１０がセルペア検出部を備えていれば、作用・効果が生じて本発明の課題を解決することができる。
（第３の実施の形態）
上述した第１及び第２の実施の形態では、基地局２０の無線パラメータ、例えば送信電力を変更することでハンドオーバ失敗を抑制して通信の瞬断時間を低減する手法を示した。第３の実施の形態では、通信の瞬断時間を低減するその他の方法を示す。
【０１１０】
無線セルラシステムにおいて、Too Late Handoverによるハンドオーバ失敗が発生した場合、ターゲット基地局２０Ｂにはハンドオーバ対象である移動局の移動局情報が未だ転送されていない可能性がある。その場合、該移動局３０は、ＬＴＥにおけるRRC Idle状態からRRC接続セットアップ（rrcConnectionSetup）処理を実行して該ターゲット基地局に対する接続を再度試行する必要がある。その結果、ハンドオーバ失敗時に移動局３０がターゲット基地局２０Ｂへ接続するまでの時間が長くなってしまう。そこで、第３の実施の形態では、移動局３０と接続しているソース基地局２０Ａからターゲット基地局２０Ｂへ予め移動局３０の移動局情報を転送しておく。この場合、移動局３０は、ハンドオーバ失敗後にターゲット基地局２０Ｂへ再度接続を試行すると、RRC Connectedの継続状態からターゲット基地局２０ＢとRRC接続を再確立（rrcConnectionReestablishment）できる。そのため、ハンドオーバ失敗後にターゲット基地局２０Ｂへ接続するまでの時間が短縮され、ハンドオーバに伴う通信の瞬断時間が低減される。無線通信システムの構成は、第１の実施の形態と同様であるため、ここではその説明を省略する。
【０１１１】
図７は、第３の実施の形態のネットワーク管理装置及び基地局の一構成例を示すブロック図である。
【０１１２】
図７ではソースセル２１Ａを管理する基地局に符号２０Ａを付与し、隣接セル（ターゲットセル）２１Ｂを管理する基地局に符号２０Ｂを付与している。各基地局２０は、それぞれ同一の構成であり、ソース基地局として動作する場合は図７に示す基地局２０Ａとなり、ターゲット基地局として動作する場合は図７に示す基地局２０Ｂとなる。
【０１１３】
図７に示すように、第３の実施の形態のネットワーク管理装置１０は、品質統計記憶部１００及びセルペア検出部１０１を備える。基地局２０Ａは、品質情報管理部２００Ａ、品質情報通信部２０１Ａ及び移動局情報管理部２０３Ａを備えている。基地局２０Ｂは、品質情報管理部２００Ｂ、品質情報通信部２０１Ｂ及び移動局情報管理部２０３Ｂを備えている。基地局２０Ａと基地局２０Ｂとは周知の通信インタフェースを介して互いに情報の送受信が可能な構成である。例えばＬＴＥの場合、基地局２０Ａと基地局２０Ｂとは有線インタフェースであるＸ２インタフェースを用いて必要な情報を送受信する。
【０１１４】
移動局情報管理部２０３Ａは、ネットワーク管理装置１０のセルペア検出部１０１から無線品質が急激に劣化するセルペアが通知されると、該セルペアのターゲットセル２１Ｂを管理する基地局２０Ｂの移動局情報管理部２０３Ｂへ移動局情報を転送する。
【０１１５】
基地局２０Ａが備える品質情報管理部２００Ａ及び品質情報通信部２０１Ａ、並びに基地局１０Ｂが備える品質情報管理部２００Ｂ及び品質情報通信部２０１Ｂの構成は、第１の実施の形態と同様であるため、ここではその説明を省略する。
【０１１６】
また、ネットワーク管理装置１０が備える品質統計記憶部１００及びセルペア検出部１０１の構成も、第１の実施の形態と同様であるため、ここではその説明を省略する。ネットワーク管理装置１０は、第１の実施の形態と同様に、基地局２０Ａ及び基地局２０Ｂと周知の通信インタフェースを介して互いに情報の送受信が可能な構成である。
【０１１７】
図７に示す基地局２０Ａが備える品質情報管理部２００Ａ、品質情報通信部２０１Ａ及び移動局情報管理部２０３Ａは、例えばメモリ、各種の論理回路、制御プログラムにしたがって所定の処理を実行するＣＰＵ等を備えた情報処理装置（コンピュータ）によって実現できる。ＣＰＵは、制御プログラムにしたがって処理を実行することで品質情報管理部２００Ａ、品質情報通信部２０１Ａ及び移動局情報管理部２０３Ａの機能を実現する。図７に示す基地局２０Ｂが備える品質情報管理部２００Ｂ、品質情報通信部２０１Ｂ及び移動局情報管理部２０３Ｂも同様である。
【０１１８】
また、図７に示すネットワーク管理装置１０が備える品質統計記憶部１００及びセルペア検出部１０１も、例えばメモリ、各種の論理回路、制御プログラムにしたがって所定の処理を実行するＣＰＵ等を備えた情報処理装置（コンピュータ）によって実現できる。
【０１１９】
図８は、第３の実施の形態の無線通信システムの動作の一例を示すシーケンス図である。
【０１２０】
なお、第３の実施の形態では、ソース基地局２０Ａと接続中の移動局３０で無線品質の急激な劣化によりＲＬＦが検出され、ハンドオーバ失敗が発生する場合の処理例を示す。
【０１２１】
図８に示すように、本実施形態のネットワーク管理装置１０及びソース基地局２０Ａは、例えば第２の実施の形態で示したステップＳ１０１〜Ｓ１０２及びＳ２０１と同様の処理を実行することで無線品質が急激に劣化するセルペアを検出する。ネットワーク管理装置１０及びソース基地局２０Ａは、第１の実施の形態で示したステップＳ１０１〜Ｓ１０６と同様の処理を実行することで無線品質が急激に劣化するセルペアを検出してもよい。
【０１２２】
ネットワーク管理装置１０は、無線品質が急激に劣化するセルペアを検出すると、検出したセルペアに関する情報をソース基地局２０Ａに通知する（ステップＳ３０１）。ソース基地局２０Ａに通知するセルペアに関する情報とは、該ソース基地局２０Ａが管理するソースセルとセルペアを形成するターゲットセルのＰＣＩである。
【０１２３】
ソース基地局２０Ａは、ターゲットセルのＰＣＩが通知されると、該ターゲットセルを管理するターゲット基地局２０Ｂに移動局情報を転送する（ステップＳ３０２）。このとき、ソース基地局２０Ａは、該ソース基地局２０Ａと通信している全ての移動局３０の移動局情報をターゲット基地局２０Ｂへ転送する。全ての移動局３０の移動局情報を転送対象とする理由は、検出したセルペアのターゲットセルにハンドオーバを行う可能性がある全ての移動局３０のハンドオーバに伴う通信の瞬断時間を低減するためである。
【０１２４】
以下、ソースセルと接続中の移動局３０で無線品質（ＲＳＲＱ）が急激に劣化し、該移動局３０でソース基地局２０Ａへ測定報告を送信する前にＲＬＦが検出された場合の処理について説明する。
【０１２５】
ソースセルと接続中の移動局３０が、無線品質（ＲＳＲＱ）の劣化によるＲＬＦを検出すると（ステップＳ３０３）、ハンドオーバ失敗（Too Late Handover）が発生する。
【０１２６】
移動局３０は、Too Late Handoverが発生すると、無線品質が最良のセルに対する接続を試みる。ここでは、Too Late Handoverが発生し、ソースセルではなくターゲットセルの無線品質が最良であるため、移動局３０は、ターゲット基地局２０ＢへRRC接続の再確立要求（rrcConnectionReestablishmentRequest）を送信する（ステップＳ３０４）。
【０１２７】
ターゲット基地局２０Ｂは、ステップＳ３０２でソース基地局２０Ａから再確立要求を送信した移動局３０の移動局情報が転送されているため、該移動局３０とRRC接続の再確立が可能である。したがって、ターゲット基地局２０Ｂは、移動局３０に再確立通知（rrcConnectionReestablishment）を送信する（ステップＳ３０５）。移動局３０は、ターゲット基地局２０ＢとのRRC接続の再確立が完了すると、該ターゲット基地局２０Ｂへ再確立完了通知（rrcConnectionReestablishmentComplete）を送信する（ステップＳ３０６）。
【０１２８】
第３の実施の形態によれば、ハンドオーバに必要な移動局情報を予めソース基地局からターゲット基地局に転送しておくため、ハンドオーバ失敗（Too Late Handover）の発生時、移動局３０はRRC Idle状態からRRC接続セットアップ（rrcConnectionSetup）処理を実行して該ターゲット基地局と接続する必要がない。移動局３０は、ハンドオーバ失敗後にターゲット基地局へ接続するとき、RRC Connectedの継続状態からターゲット基地局とRRC接続を再確立できる。その結果、ハンドオーバ失敗後の再接続に要する時間が短縮されるため、ハンドオーバに伴う通信の瞬断時間を低減できる。
（第４の実施の形態）
第３の実施の形態では、移動局３０と通信中のソースセルの無線品質が急激に劣化すると判定され、その直後にソース基地局からターゲット基地局へ該移動局３０の移動局情報を転送する例を示した。第４の実施に形態は、無線品質が急激に劣化するセルペアが検出された後、そのソース基地局へ新規に接続を開始した移動局の移動局情報をターゲット基地局へ転送する。無線通信システムの構成、並びにネットワーク管理装置１０及び基地局２０の構成は、第３の実施の形態と同様であるため、ここではその説明を省略する。
【０１２９】
図９は、第４の実施の形態の無線通信システムの動作の一例を示すシーケンス図である。
【０１３０】
図９に示すように、本実施形態のネットワーク管理装置１０及びソース基地局２０Ａは、例えば第２の実施の形態で示したステップＳ１０１〜Ｓ１０２及びＳ２０１と同様の処理を実行することで無線品質が急激に劣化するセルペアを検出する。ネットワーク管理装置１０及びソース基地局２０Ａは、第１の実施の形態で示したステップＳ１０１〜Ｓ１０６と同様の処理を実行することで無線品質が急激に劣化するセルペアを検出してもよい。
【０１３１】
ネットワーク管理装置１０は、無線品質が急激に劣化するセルペアを検出すると、検出したセルペアに関する情報をソース基地局２０Ａに通知する（ステップＳ３０１）。ソース基地局２０Ａに通知するセルペアに関する情報とは、該ソース基地局２０Ａが管理するソースセルとセルペアを形成するターゲットセルのＰＣＩである。
【０１３２】
ソース基地局２０Ａは、ターゲットセルのＰＣＩが通知されると、該ターゲットセルを管理するターゲット基地局２０Ｂに移動局情報を転送する（ステップＳ３０２）。
【０１３３】
以下、ステップＳ３０１以降で他の移動局（以下、新規移動局）３０がソースセルと新規に接続を開始し、その後、ＲＳＲＱが急激に劣化して該移動局３０でＲＬＦが検出された場合の処理について説明する。
【０１３４】
新規移動局は、新規な通信を開始するためソース基地局２０ＡへRRC接続セットアップ要求（rrcConnectionSetupRequest）を送信すると（ステップＳ３０７）、ソース基地局２０Ａは新規移動局にRRC接続セットアップ通知（rrcConnectionSetup）を返信する（ステップＳ３０８）。その後、新規移動局はソース基地局２０ＡにRRC接続セットアップ完了通知（rrcConnectionSetupComplete）を送信して該ソース基地局２０Ａとの通信を開始する（ステップＳ３０９）。
【０１３５】
ソース基地局２０Ａは、新規移動局と接続されると、該新規移動局の移動局情報をステップＳ３０１で報告されたセルペアのターゲット基地局２０Ｂへ転送する（ステップＳ３０２）。
【０１３６】
新規移動局で無線品質（ＲＳＲＱ）が急激に劣化することでＲＬＦが検出され（ステップＳ３０３）、ハンドオーバ失敗（Too Late Handover）が発生すると、新規移動局は無線品質が最良のセルに対する接続を試みる。ここでは、Too Late Handoverが発生し、ソースセルではなくターゲットセルの無線品質が最良であるため、新規移動局は該ターゲットセルを管理するターゲット基地局２０ＢにRRC接続の再確立要求（rrcConnectionReestablishmentRequest）を送信する（ステップＳ３０４）。
【０１３７】
ターゲット基地局２０Ｂは、ステップＳ３０２で新規移動局の移動局情報がソース基地局２０Ａから既に転送されているため、該新規移動局とRRC接続の再確立が可能である。したがって、ターゲット基地局２０Ｂは、新規移動局に再確立通知（rrcConnectionReestablishment）を送信する（ステップＳ３０５）。新規移動局は、ターゲット基地局２０ＢとのRRC接続の再確立が完了すると、該ターゲット基地局２０Ｂへ再確立完了通知（rrcConnectionReestablishmentComplete）を送信する（ステップＳ３０６）。
【０１３８】
第４の実施の形態では、移動局３０の接続タイミングに関係なくターゲット基地局で該移動局３０の移動局情報を保存できる。
【０１３９】
なお、実際のソースセルには、通信中の移動局３０と新規に接続を開始する移動局３０とが混在するため、本実施形態で示した処理は第３の実施の形態で示した処理と併用すればよい。
【０１４０】
第４の実施の形態によれば、ソース基地局２０Ａへ新規に接続を開始した移動局３０であっても、第３の実施の形態と同様に、該移動局３０は、ハンドオーバ失敗（Too Late Handover）の発生時に、RRC Connectedの継続状態からターゲット基地局２０ＢとRRC接続を再確立できる。そのため、移動局３０は、接続までの時間を要するRRC Idle状態からRRC接続セットアップ（rrcConnectionSetup）処理を実行する必要がない。したがって、ハンドオーバ失敗後にターゲット基地局２０Ｂと接続するまでの時間が短縮されるため、ハンドオーバに伴う通信の瞬断時間が低減される。
【０１４１】
なお、上述した第１〜第４の実施の形態で示した方法は、屋外セルと屋内セルが混在する通信環境で実施すると、無線品質が急激に変化する場合が多いため、より効果が期待できる。
【０１４２】
また、セルサイズ（マクロセル、フェムトセルなど）が異なるセルが混在する通信環境であっても本願発明の効果が期待できる。これは、一般的に屋外にはサイズの大きいマクロセルを設置し、屋内にはサイズに小さいフェムトセルを設置することが多いためである。
【０１４３】
また、上述した第１〜第４の実施の形態では、同一の無線アクセス技術（ＲＡＴ：Radio Access Technology）において、同じ周波数帯を利用するセル間のハンドオーバを例にして説明したが、本発明は、それに限らず、異なる無線アクセス技術間のハンドオーバや異なる周波数帯間のハンドオーバにも適用できる。
【符号の説明】
【０１４４】
１０    ネットワーク管理装置
２０、２０Ａ、２０Ｂ    基地局
２１、２１Ａ、２１Ｂ    セル
３０    移動局
１００    品質統計記憶部
１０１    セルペア検出部
１０２    無線パラメータ調整部
２００Ａ、２００Ｂ    品質情報管理部
２０１Ａ、２０１Ｂ    品質情報通信部
２０２Ａ、２０２Ｂ    無線パラメータ制御部
２０３Ａ、２０３Ｂ    移動局情報管理部
【図１】
2015104000.tif 000003
【図２】
2015104000.tif 000004
【図３】
2015104000.tif 000005
【図４】
2015104000.tif 000006
【図５】
2015104000.tif 000007
【図６】
2015104000.tif 000008
【図７】
2015104000.tif 000009
【図８】
2015104000.tif 000010
【図９】
2015104000.tif 000011
【図１０】
2015104000.tif 000012
【図１１】
2015104000.tif 000013